(57)【要約】【課題】  長期間経過後でも、信号出力端子を端子取り付け部に確実に導通でき、正確な機能検査が行えるとともに、検査の簡素化、迅速化を図れる遊技機の制御装置を提供する。【解決手段】  遊技機または遊技機に設けられる遊技動作装置を制御する遊技機の制御装置は、制御信号を検査データとして出力するために、コネクタ５３２を取り付け可能なデータ出力手段を備え、コネクタ５３２を取り付ける端子取り付け部５０Ａは、ダミー素子６３２で保護されている。【選択図】  図７
2004237113.tif 000002
【特許請求の範囲】
【請求項１】
遊技機または遊技機に設けられる遊技動作装置を制御する制御信号を出力する遊技機の制御装置であって、前記制御信号を検査データとして出力するために、信号出力端子を取り付け可能なデータ出力手段と、基板上の配線パターンとして形成され、前期信号出力端子を取り付ける端子取り付け部とを備え、前記端子取り付け部には前記信号出力端子に替わるダミー素子が取り付けられていることを特徴とする遊技機の制御装置。
【請求項２】
請求項１に記載の遊技機の制御装置において、
前記ダミー素子には、前記端子取り付け部を構成するスルーホールに挿通される突起部が設けられていることを特徴とする遊技機の制御装置。
【請求項３】
請求項１または２に記載の遊技機の制御装置において、
前記ダミー素子は、透明部材で形成されていることを特徴とする遊技機の制御装置。
【請求項４】
請求項１から３のいずれかに記載の遊技機の制御装置において、
前記ダミー素子は、絶縁部材で形成されていることを特徴とする遊技機の制御装置。
【請求項５】
請求項１から４のいずれかに記載の遊技機の制御装置において、
前記端子取り付け部の近傍には、他の回路素子が実装されていないことを特徴とする遊技機の制御装置。
【発明の詳細な説明】
【技術分野】
【０００１】
本発明は、遊技の状態に応じて動作する遊技動作装置や遊技機そのものを制御する遊技機の制御装置に関し、例えば、電飾装置、音声出力装置、および可変表示装置を備えたパチンコ遊技機に利用することができる。
【背景技術】
【０００２】
近年、遊技機において、電飾装置、音声出力装置、および可変表示装置等の遊技動作装置と、この遊技動作装置を制御する制御装置とを備えたものが普及している。
【０００３】
このような遊技機としてはパチンコ遊技機が知られ、パチンコ遊技機は、遊技
者がパチンコ玉を発射して、所定の入賞口に入賞すると、制御装置が所定の確率に設定されたくじ引き抽選を行うとともに、各遊技動作装置に制御信号を出力し、可変表示装置に表示される図柄を変動させ、電飾装置を点滅させ、音声出力装置から効果音を出力させるように構成され、パチンコ遊技における華やかさを与えている。
【０００４】
一方、このようなパチンコ遊技機には、前記制御装置によるくじ引き抽選に不
正があってはならないので、一般にパチンコ遊技機を市場投入するためには、検定機関における検定試験に合格することが必要であり、また、市場投入後、市場での不正改造を防止するための制御装置または機構が搭載されている。
【０００５】
パチンコ遊技機の不正検査は市場で行う場合もあり、検査の簡素化および迅速
化が必要とされる。検査の簡素化を図るために、遊技機の制御装置を機能別にユニット化し、ユニット単位での検査ができるような構造が考えられており、このような場合には、ユニット化された各々の制御装置から検査データを出力させるというような方法が要望されている。
【０００６】
この場合、検査時には、各々の制御装置に信号出力端子を取り付けることが必
要となるため、制御装置の回路基板には、信号出力端子を取り付けるための端子取り付け部が設けられ、必要に応じて、つまり検査の際に、その端子取り付け部に信号出力端子としてのコネクタを取り付けたり、端子取り付け部に直接接触させる接触式検査用端子をセットしたりして検査を実施している。
【発明の開示】
【発明が解決しようとする課題】
【０００７】
ところで、端子取り付け部は、一般に基板上の配線パターンやスルーホールで形成されており、遊技機の検査時しか使用されないので、通常時には、端子取り付け部は露出状態となっている。
【０００８】
一方、これらの制御装置が取り付けられるパチンコ遊技機の裏側は、電飾用の
ランプや役物と呼ばれる入賞装置を駆動させるソレノイド等の発熱部材が多数組み込まれ、更にはその給電装置や遊技球の搬送装置等があるので、それらが長時間に渡り稼動することによって絶えず高温となり、劣悪な環境となっている。
【０００９】
そのため、市場で検査を行う場合、端子取り付け部は露出された状態で長期間
放置されていることになり、端子取り付け部の表面の劣化や、ごみ等の付着による汚れが生じている。従って、このような端子取り付け部に信号出力端子を実装しようとしても、半田がうまく着かず、また、接触式検査用端子を用いる場合も安定した接触が得られず、確実な導通が得られなくなり、正確な検査が行えないという問題がある。
【００１０】
また、このような端子取り付け部を設けておいても、その端子取り付け部は露
出された状態なので、他の部品の実装工程において、端子取り付け部の配線パタ―ンや信号出力端子実装用のスルーホールに不要な半田が着いてしまい、信号出力端子の実装が困難となり、あるいは、確実な導通が得られないという問題もある。
【００１１】
本発明の目的は、長期間経過後でも、信号出力端子を端子取り付け部に確実に
導通でき、正確な機能検査が行えるとともに、検査の簡素化、迅速化を図れる遊技機の制御装置を提供することにある。
【課題を解決するための手段】
【００１２】
前記目的を達成するために、本発明に係る遊技機の制御装置は、遊技機または遊技機に設けられる遊技動作装置を制御する制御信号を出力する遊技機の制御装置であって、前記制御信号を検査データとして出力するために、信号出力端子を取り付け可能なデータ出力手段と、基板上の配線パターンとして形成され、前記信号出力端子を取り付ける端子取り付け部とを備え、前期端子取り付け部には前記信号出力端子に替わるダミー素子が取り付けられていることを特徴とするものである。
【００１３】
このような本発明によれば、、端子取り付け部がダミー素子で保護されているので、端子取り付け部にゴミ等が付着することがなくなり、長期間経過後の検査時でも、ダミー素子を取り除くことで信号出力端子を容易に取り付けることができ、また、安定した接触状態を確保することができて、正確な機能検査が行えるとともに、検査の簡素化、迅速化を図れる。また、基板に他の回路素子を実装する部品実装工程の前にダミー素子を取り付けておくことによって、部品実装工程の際に端子取り付け部に不要な半田が着かないので、信号出力端子の取り付けを容易に行える。
【００１４】
本発明において、前記ダミー素子には、前記取り付け端子部を構成するスルーホールに挿通される突起部が設けられていることが好ましい。
【００１５】
このような本発明によれば、他の部品実装工程の際に、端子取り付け部のスルーホール内に半田が入り込まないので、後で、信号出力端子の取り付けを容易に行える。
【発明の効果】
【００１６】
前述のような本発明の遊技機の制御装置によれば、端子取り付け部がマスキング部材で保護されているので、他の部品の実装時に端子取り付け部に不要な半田が着くことがなく、また、端子取り付け部は空気に触れにくくなるので、端子取り付け部表面の劣化を抑えることができる。また、端子取り付け部にゴミ等が付着することがなくなり、長期間経過後の検査時でも、マスキング部材を剥がすことで信号出力端子を容易に取り付けることができ、また、安定した接触状態を確保することができて、正確な機能検査が行えるとともに、検査の簡素化、迅速化を図れる。
【発明を実施するための最良の形態】
【００１７】
（１）遊技機の全体構成
以下、本発明の実施の一形態を図面に基づいて説明する。
【００１８】
図１および図２には、本発明の第１実施形態に係るパチンコ遊技機の遊技盤２が示されている。このパチンコ遊技機の遊技盤２には、図１に示すように、盤表面の略中央位置に複数列の図柄を可変的に表示する可変表示装置１１が配置され、その周囲にこの可変表示装置１１の動作とともに点滅するランプ表示装置１２およびＬＥＤ装置１３が配置されている。また、可変表示装置１１の下部には、入賞口１４、および大入賞口１５、およびアウト口１６が設けられている。尚、図１では図示を略したが、この遊技盤２の周囲には、可変表示装置１１の動作とともに、効果音を発生する音声出力装置となるスピーカ、およびパチンコ玉を発射するための発射装置等が設けられている。
【００１９】
遊技盤２の裏面には、図２に示すように、可変表示装置１１の他、主制御装置
１７、ランプ制御装置１８、音声制御装置１９が、パチンコ玉の遊技盤２に対する供給路の隙間部分に配置されている。
【００２０】
前記主制御装置１７は、プリント基板等の配線基板にＣＰＵ、ＲＯＭ、ＲＡＭ
、入出力インターフェース、ドライブ回路部品等の電気部品を実装して構成される。この主制御装置１７は、上述した発射装置から発射されたパチンコ玉が遊技盤２の可変表示装置１１の下に配置される入賞口１４にパチンコ玉が入賞すると、払出装置から賞球として所定の数のパチンコ玉を払い出させ、くじ引き抽選を開始する。同時に、可変表示装置１１、ランプ制御装置１８、および音声制御装置１９にも制御信号を出力して、これらの装置に所定の動作をさせる。
【００２１】
そして、大当たり、中当たり、小当たり等のくじ引き抽選の結果に応じて、主
制御装置１７は、可変表示装置１１、ランプ制御装置１８および音声制御装置１９に所定の制御信号を出力し、各装置は、この制御信号に基づいた表示動作を行う。
【００２２】
前記ランプ制御装置１８は、主制御装置１７からの制御信号に基づいて、上述
したランプ表示装置１２およびＬＥＤ装置１３の点滅制御を行う部分であり、図示を略したが、バラスト、インバータ、およびこれらを制御する補助ＣＰＵを含む回路基板として構成されている。また、前記音声制御装置１９は、主制御装置１７からの制御信号に基づいて、遊技盤２の周囲に設けられるスピーカから効果音を出力する部分であり、効果音の種類の選択、音量制御等を行うために、ランプ制御装置１８と同様に、補助ＣＰＵを備えている。
【００２３】
（２）可変表示装置の構成
前記可変表示装置１１は、図３に示すように、画像表示部となる液晶パネルユニット３０と、液晶パネルユニット３０の背面光源となるバックライト４０と、前記主制御装置１７からの制御信号に基づいて、液晶パネルユニット３０に表示される画像の制御を行う画像表示制御基板５０と、これらを収納して一体化する表ケース６１および裏ケース６２からなる外装ケース６０とを備えている。
【００２４】
前記液晶パネルユニット３０は、図３では図示を略したが、バックライト４０
からの光束を変調する光変調装置としての液晶パネル、液晶パネルの透明基板に接続され、透明基板内部の液晶素子を駆動するためのドライバＩＣ、液晶パネルの裏面側に設けられバックライト４０からの光束をほぼ全面にわたって均一化する拡散板、および液晶パネルの外周部分を覆い、ＥＭＩ（電磁妨害）を遮断する金属製のパネルシールド枠を含んで構成される。
【００２５】
前記バックライト４０は、背面光源の本体となるＵ字状の蛍光管４１、この蛍
光管４１からの光束を、液晶パネルユニット３０側に反射する反射ケース４２、および蛍光管４１の端子部分４１Ａに電源供給するバックライト基板４３を備えている。
【００２６】
前記外装ケース６０は、金属製の表ケース６１、および透明プラスチック製の
裏ケース６２を備え、表ケース６１には、液晶パネルユニット３０で形成された画像を遊技盤２上で表示するための開口６１Ａが形成されている。
【００２７】
前記画像表示制御基板５０は、図４および図５に示すように、基板本体５１上
に種々の回路素子を実装することにより構成され、この基板本体５１は、画像表示制御回路５２およびデータ出力回路５３に区分けされている。
【００２８】
画像表示制御回路５２は、主制御装置１７からの制御信号に基づいて、液晶パ
ネルユニット３０に所定の図柄を表示させるために設けられ、基板本体５１上に実装されるコネクタ５２１、補助ＣＰＵ５２２、画像制御ＩＣ５２３、リセットＩＣ５２４（図５参照）、ファームＲＯＭ（Ｒｅａｄ  Ｏｎｌｙ  Ｍｅｍｏｒｙ）５２５、およびＣＧＲＯＭ（Ｃｈａｒａｃｔｅｒ  Ｇｅｎｅｒａｔｏｒ  Ｒｅａｄ  Ｏｎｌｙ  Ｍｅｍｏｒｙ）５２６を備えている。
【００２９】
コネクタ５２１には、主制御装置１７と接続されるケーブルが接続され、主制
御装置１７を介して電力が供給されるとともに、主制御装置１７からの制御信号が入力される。補助ＣＰＵ５２２は、コネクタ５２１を介して入力される制御信号に基づいて、他の回路素子の動作制御を行う部分である。画像制御ＩＣ５２３は、補助ＣＰＵ５２２からの制御信号に基づいて、ＣＧＲＯＭ５２６に記憶された所定の図柄を呼び出して、液晶パネルユニット３０に表示出力信号を出力する部分である。尚、リセットＩＣ５２４は、補助ＣＰＵ５２２をリセットするために設けられ、ファームＲＯＭ５２５には、補助ＣＰＵ５２２上で展開されるプログラムが格納されている。
【００３０】
データ出力装置を構成するデータ出力回路５３は、前記画像表示制御回路５２で出力される信号から検査に必要な信号を取得し、取得された画像出力信号を検査データとして外部検査機器に出力する部分であり、複数の画像出力信号取得用ＩＣ５３１を備えている。画像出力信号取得用ＩＣ５３１の信号入力端子は、図５に示すように、上述した補助ＣＰＵ５２２と画像制御ＩＣ５２３とを結ぶアドレスデータ信号線、データ信号線、およびイネーブル信号線の中間部分で接続され、これらの信号線を流れる信号をそのまま取得できるようになっている。そして、取得された画像出力信号は、図５では図示を略したが、該データ出力回路５３上に実装される画像出力信号用コネクタからケーブルを介して外部検査機器に出力される。
【００３１】
尚、この画像出力信号用コネクタ５３２は、図４に示すように、量産機種には通常取り付けられていない。しかし、検査時に、画像出力信号用コネクタ５３２を簡単に実装できるように、基板本体５１上に、コネクタ取付用の端子取付部５０Ａが形成されている。
【００３２】
ここで、このデータ出力回路５３から出力される画像出力信号は、液晶パネルユニット３０上に現れる図柄の状態、例えば図柄が変動中である旨の信号、表示する図柄の組み合わせが確定した旨の信号の他、各桁の図柄が変動中である旨の信号、各桁の図柄を表すデータおよび図柄の色データを含む多数のデータから構成されている。また、それぞれのデータは、１または複数のビットで構成される。このため、前記画像出力信号取得用ＩＣ５３１は、１個当たり例えば８ビットのデータを取得可能に構成され、画像出力信号のデータ数をすべて取得できる数だけ、データ出力回路５３に設けられる。また、画像出力信号用コネクタ５３２は、複数の画像出力信号取得用ＩＣ５３１の取得データ数に応じた信号線を備えている。
【００３３】
図６に示すように、画像出力信号取得用ＩＣ５３１と、画像出力信号用コネク
タ５３２の間には、サージ吸収回路５３３が設けられている。サージ吸収回路５３３は、画像出力信号取得用ＩＣ５３１の信号線の数に応じた複数のバリスタ５３３Ａから構成されている。各バリスタ５３３Ａは、一端が画像出力信号取得用ＩＣ５３１の各端子に接続される信号線と接続されるとともに、他端は、基板本体５１裏面に形成されるＧＮＤ（ｇｒｏｕｎｄ）パターン部分と電気的に接続される。このＧＮＤパターンは、基板本体５１の端部まで延び、上述した外装ケース６０を構成する金属製の表ケース６１と電気的に接続されている。
【００３４】
そして、画像出力信号用コネクタ５３２から信号線にサージ電流が流れると、その大部分がバリスタ５３３ＡからＧＮＤパターンを介して表ケース６１から放出され、画像出力信号取得用ＩＣ５３１を保護するようになっている。
【００３５】
図７に示すように、画像出力信号用コネクタ５３２を取り付ける端子取り付け部５０Ａは、多数のスルーホール５００を２群に配置して構成され、この端子取り付け部５０Ａには、マスキング部材５０１が貼り付けられている。そのため、端子取り付け部５０Ａは、画像出力信号用コネクタ５３２が取り付けられていない際、つまり、通常時は、マスキング部材５０１により保護されている。この端子取り付け部５０Ａは、画像表示制御基板５０上の配線パターンとして形成されており、マスキング部材５０１の形状は、この配線パターンの形状に対応している。
【００３６】
尚、端子取り付け部５０Ａの近傍には、図４，７に示すように、他の回路素子は実装されていない。
【００３７】
ここで、マスキング部材５０１の貼り付けは、図示しないが、画像表示制御基
板５０上の配線パターンに対応して形成された薄型の型紙等を画像表示制御基板５０の端子取り付け部５０Ａに当て、ゲル状部材を薄く塗るなどして行われる。
【００３８】
また、図８，９に示すように、マスキング部材を貼り付ける代わりに、画像表示制御基板５０に各種の回路素子を実装する部品実装工程において、画像出力信号用コネクタ５３２を取り付ける端子取り付け部５０Ａには、コネクタ５３２に替えてダミー素子６３２を実装するようにしてもよい。
【００３９】
すなわち、このダミー素子６３２の裏面には、画像表示制御基板５０に開けられた端子取り付け部５０Ａのスルーホール５００に挿入、かつ、貫通する突起部６３２Ａが設けられ、この突起部６３２Ａによりスルーホール５００が塞がれるので、他の部品を実装する際に、スルーホール５００の裏側からの半田吸い上げも防止されるようになっている。
【００４０】
なお、このダミー素子６３２は、透明または半透明の部材で形成することができ、端子取り付け部５０Ａ全体を覆うように形成することができる。また、ダミ―素子６３２は、絶縁部材で形成するのが好ましい。
【００４１】
ダミー素子６３２は、画像表示制御基板５０上の他の部品を実装した後、取り外され、ダミー素子６３２が取り外された端子取り付け部５０Ａには、前記マスキング部材５０１を貼り付けてもよい。また、ダミー素子６３２を取り外さずにそのまま端子取り付け部５０Ａの保護部材として取り付けておき、検査の際に取り外し、端子取り付け部５０Ａに画像出力信号用コネクタ５３２（信号出力端子）を取り付けるようにしてもよい。
【００４２】
（３）機能検査装置の構成
このようなパチンコ遊技機の可変表示装置１１は、機能検査装置を用いて検査が行われる。機能検査装置８は、図１０に示すように、パソコン本体８ａと、キーボード８ｃおよびマウス８ｄ等の入力機器と、ディスプレイ８ｂおよびプリンタ８ｅ等の出力機器と、パソコン本体８ａに設けられ、可変表示装置１１のコネクタ５２１に接続して制御信号を送る出力端子（図示略）とデータ出力回路５３からの画像データ出力信号を取得する入力端子（図示略）とを含んで構成される。
【００４３】
パソコン８ａには、可変表示装置１１の機能検査に必要な検査データがインストールされている。例えば、パソコン８ａには、可変表示装置１１の検査データとして、主制御装置１７から可変表示装置１１に出力される表示のための各種制御信号と、可変表示装置１１のＣＧＲＯＭ５２６内の図柄データとの対応を定めた一覧表データが記憶されている。
【００４４】
（４）パチンコ遊技機の動作およびデータ出力回路５３を用いた検査手順そして、このような機能検査装置８により検査を行うにあたり、実際の遊技におけるパチンコ遊技機の動作を説明すれば、以下のようになる。
【００４５】
(1)  パチンコ遊技機の電源を入れた後、発射装置からパチンコ玉を発射し、可変表示装置１１の下に配置される入賞口１４にパチンコ玉が入賞すると、主制御装置１７では、くじ引き抽選を開始するとともに、可変表示装置１１、ランプ制御装置１８および音声制御装置１９にくじ引き抽選を開始した旨の制御信号を出力する。
【００４６】
(2)  可変表示装置１１、ランプ制御装置１８および音声制御装置１９では、この制御信号に基づいて、所定の動作を開始する。例えば、可変表示装置１１であれば、くじ引き抽選を開始した旨の制御信号は、まず、補助ＣＰＵ５２２に入力される。補助ＣＰＵ５２２は、この制御信号に基づいて、アドレスデータ信号、データ信号、およびイネーブル信号からなる画像制御ＩＣ用の制御信号を画像制御ＩＣ５２３に出力する。画像制御ＩＣ５２３は、補助ＣＰＵ５２２からの信号に基づいて、ＣＧＲＯＭ５２６に格納された図柄データを液晶パネルユニット３０に出力し、画像表示部上に抽選中である旨の画像、例えば、図柄が変動している状態の画像を表示させる。尚、前記ランプ制御装置１８、音声制御装置１９においても、同様にくじ引き抽選中である旨を遊技者に知らせるために、ランプ表示装置１２およびＬＥＤ装置１３を点滅させたり、スピーカから効果音を出力する。
【００４７】
(3)  くじ引き抽選が終了すると、主制御装置１７は、くじ引き抽選が終了した旨の制御信号と、くじ引きの結果を表す信号を、可変表示装置１１、ランプ制御装置１８、および音声制御装置１９に出力する。
【００４８】
(4)  主制御装置１７からの出力信号を受けた可変表示装置１１では、補助ＣＰＵ５２２が、くじ引き抽選の終了およびくじ引きの結果に基づく画像制御ＩＣ用の制御信号を、画像制御ＩＣ５２３に出力する。画像制御ＩＣ５２３は、これらの信号に基づいて、液晶パネルユニット３０の画像表示を停止させる旨の信号を出力して、くじ引きの結果に応じた図柄表示を行う。
【００４９】
上述したパチンコ遊技機の動作に伴う、可変表示装置１１の動作を、機能検査
装置８により検査を行う場合には以下のような手順にして行われる。
【００５０】
(5)  画像出力信号用コネクタ５３２を取り付けるための端子取り付け部５０Ａから、そこに貼り付けられたマスキング部材５０１を取り外した後、コネクタ５３２を端子取り付け部５０Ａに取り付ける。次いで、可変表示装置１１のコネクタ５２１と、画像出力信号用コネクタ５３２にそれぞれケーブルを接続するとともに、これらのケーブルを機能検査装置８に設けられる入出力端子に接続する。
【００５１】
(6)  機能検査装置８を起動し、キーボード８ｃやマウス８ｄ等を操作すると、ディスプレイ８ｂ上に可変表示装置１１に対応する一覧表データが表示される。キーボード８ｃ、マウス８ｄを操作して、表示された一覧表データの中から表示したい画像データの箇所を選択すると、機能検査装置８は、選択された画像データに対して主制御装置１７から出力される制御信号と同一の信号フォーマットの制御信号を可変表示装置１１に出力する。
【００５２】
(7)  その結果、可変表示装置１１が選択した画像データによる画像を液晶パネルニット３０の表示面上に表示するか否かを確認検査できる。つまり、可変表示装置１１が選択した箇所の画像データを液晶パネルユニット３０の表示面上に表示すれば、可変表示装置１１が主制御装置１７の制御信号に対応して従属的に正しく表示動作するものであることの機能検査を確認することができる。
【００５３】
(8)  逆に、可変表示装置１１が選択した箇所の画像データ以外の画像を液晶パネルユニット３０の表示面上に表示すれば、可変表示装置１１が主制御装置１７からの制御信号に対応して従属的に正しくない表示動作を行うもので、可変表示装置１１が改造等の不正を受けていることの機能検査を目で確認することができる。
【００５４】
(9)  この時、可変表示装置１１の画像表示制御回路５２における補助ＣＰＵ５２２および画像制御ＩＣ５２３間の信号は、データ出力回路５３の複数の画像出力信号取得用ＩＣ５３１で取得され、画像出力信号が画像出力信号用コネクタ５３２から出力される。そして、画像出力信号はケーブルを介して機能検査装置８に入力される。
【００５５】
(10)  この画像出力信号が機能検査装置８にインストールされている検査データ一覧表データどおりになっているかを確認することで、可変表示装置１１の表示動作に異常がないかを、実際に表示された画面を見ることなく機能検査装置８が判断することができる。
【００５６】
（５）第１実施形態の効果
以上のような第１実施形態によれば、次のような効果がある。
【００５７】
(1)  パチンコ遊技機の可変表示装置１１がデータ出力回路５３を備えているので、データ出力回路５３の画像出力信号用コネクタ５３２にケーブルを接続するだけで、可変表示装置１１の画像出力信号を検査データとして利用することができ、これにより、検定機関での検定試験時に可変表示装置が所定の動作を確実に行っているかどうか、また、市場においてパチンコ遊技機が不正に改造されているか否かを、可変表示装置の出力画像そのものをチェックするのと同等に、データ出力手段から出力されたデータをチェックすることによってコンピュータで容易に判断することができる。特に、可変表示装置１１の検査データとなる画像出力信号は、多数のデータから構成され、その全てについて検査する必要があるため、データ出力回路５３を設けることによる検査の容易化、という効果は大きい。
【００５８】
(2)  データ出力回路５３が可変表示装置１１を構成する画像表示制御基板５０上に設けられているので、両者を一体的に取り扱うことができ、検査作業の簡単化を図ることができる。さらには、画像表示制御基板５０上の画像表示回路５２とデータ出力回路５３との電気的接続において、ハーネス等を用いる必要がないので、それらの間の配線を簡素化でき、また、可変表示装置１１が厚さ方向に大型化することがないので、可変表示装置１１の薄型化を図れる。
【００５９】
(3)  データ出力回路５３が画像出力信号取得用ＩＣ５３１、画像出力信号用コネクタ５３２、およびサージ吸収回路５３３から構成され、必要最小限の構成でデータ出力回路５３を構成することができるので、データ出力回路５３の構造の簡素化および小型化を図り易い。また、データ出力回路５３がサージ吸収回路５３３を備えているので、コネクタまたは端子取付部からサージ電流が流れても、サージ吸収回路５３３を介してＧＮＤに排出することができ、画像出力信号取得用ＩＣ５３１を保護することができる。
【００６０】
(4)  データ出力回路５３が画像表示制御回路５２と基板本体５１上で区分けして配置されているので、データ出力回路５３の回路素子が画像表示制御回路５２上の回路素子を隠蔽することがない。従って、画像表示制御基板上の回路素子等を交換することによる不正改造等を遊技機の裏面から見て簡単にチェックすることができる。
【００６１】
(5)  端子取り付け部５０Ａはマスキング部材５０１が貼り付けられているので、他の部品の実装時に端子取り付け部５０Ａに不要な半田が着くことがなく、画像出力信号用コネクタ５３２（信号出力端子）の取り付けが容易に行うことができ、端子取り付け部５０Ａとの確実な導通が得られて正確な検査が行える。
【００６２】
(6)  画像出力信号用コネクタ５３２を取り付ける端子取り付け部５０Ａには、マスキング部材５０１が貼り付けられているので、ゴミ等の付着や、長期間経過による劣化等から保護される。従って、長期間経過後の検査時でも、マスキング部材５０１を剥がすことにより信号出力端子を容易に取り付けることができて、さらに、安定した接触を確保することもできるので、正確な機能検査が行えるとともに、検査の簡素化、迅速化を図れるようになる。
【００６３】
(7)  マスキング部材５０１が端子取り付け部５０Ａの配線パターン以外のパタ―ンを隠蔽することがないため、検定機関などによる検定試験や市場での立会い検査における外観検査が目視にて容易に行うことができる。
【００６４】
(8)  画像表示制御基板５０に他の回路素子を実装する際、端子取り付け部５０Ａに、ダミー素子６３２を実装する場合には、その突起部６３２Ａが端子取り付け部５０Ａのスルーホール５００に挿入、かつ、貫通しているので、スルーホール５００は、塞がれる。従って、他の部品を実装する際に、スルーホール５００の裏側からの半田吸い上げが防止され、後での画像出力信号用コネクタ５３２の取り付けが容易となる。
【００６５】
(9)  ダミー素子６３２は画像表示制御基板５０に他の部品を実装した後で取り外され、ダミー素子６３２が取り外された端子取り付け部５０Ａには、マスキング部材５０１が貼られるので、ダミー素子６３２が取り外された場合でも、端子取り付け部５０Ａを保護することができる。また、このダミー素子６３２をそのまま保護部材として取り付けておく場合においても、端子取り付け部５０Ａを保護することができる。
【００６６】
(10)  ダミー素子６３２は、透明または半透明の部材で形成されているので、ダミー素子６３２を通してパターンを視認できるので、検定機関などによる検定試験や市場での立会い検査における外観検査が目視にて容易に行うことができる。
【００６７】
(11)  さらに、ダミー素子６３２は、絶縁部材で形成されているので、画像表示制御基板５０上に露出した端子取り付け部５０Ａの配線パターンを絶縁部材で覆うことができ、端子取り付け部５０Ａへの静電気の飛び込みを防止できて、静電気による遊技動作装置等の誤動作や、基板上の回路素子の静電破壊を防止することができる。
【００６８】
(12)  端子取り付け部５０Ａの近傍には、他の回路素子が実装されていないので、画像出力信号用コネクタ５３２の取り付け作業に邪魔となるものがなく、これにより、後で、画像出力信号用コネクタ５３２の取り付けを容易に行えるとともに、取り付け時に不要な半田が他の回路素子に付着することによる誤導通が防げるので、確実な検査を行うことができる。
【００６９】
（６）第２実施形態
次に、本発明の第２実施形態について説明する。以下の説明では、既に説明した部分または部材と同一の部分等については、同一符号を付してその説明を省略または簡略化する。
【００７０】
前記第１実施形態では、画像表示制御基板５０は、基板本体５１にデータ出力回路５３、画像出力信号取得用ＩＣ５３１、端子取り付け部５０Ａ等を直接設けることにより構成されていた。
【００７１】
これに対して、第２実施形態に係る可変表示装置９１では、図１１，１２に示すように、データ出力基板９３が画像表示制御基板９２と略平行に、かつ、別体として配置されている点が相違する。このため、図１１では図示を略したが、画像表示制御基板９２およびデータ出力基板９３を接続する基板接続端子９４は、一方が画像表示制御基板９２の表面に設けられ、他方がデータ出力基板９３の裏面側に設けられている。
【００７２】
画像出力信号用コネクタ５３２は、図１１ではデータ出力基板９３に、当該出
力基板９３と平行に取り付けられた状態となっているが、データ出力基板９３には、図１２に示すように、前記端子取り付け部５０Ａと同様の、多数のスルーホ―ル５００からなる端子取り付け部９３Ａが形成されており、この端子取り付け部９３Ａには、データ出力基板９３の表裏両面にマスキング部材６０１が貼り付けられている。
【００７３】
このマスキング部材６０１は、透明または半透明のゴムや樹脂あるいはテープやフィルムで形成された２枚（表裏計４枚）でなり、２群の端子取り付け部９３Ａ全体をそれぞれ覆うように形成されている。つまり、この実施形態のマスキング部材６０１の形状は、前記第１実施形態と異なり、配線パターンとは対応していない。なお、この場合、マスキング部材６０１は、絶縁部材で形成されているのが好ましい。このように、端子取り付け部９３Ａは、画像出力信号用コネクタ５３２が取り付けられていない際、つまり、通常時は、マスキング部材６０１により保護されている。
【００７４】
尚、この実施形態においても、データ出力基板９３に他の回路素子を実装する工程において、端子取り付け部９３Ａに、前述と同じように、ダミー素子６３２を実装することもできる。
【００７５】
このような第２実施形態に係る可変表示装置９１によれば、前記第１実施形態で述べた効果に加え、以下のような効果がある。
【００７６】
(13)  マスキング部材６０１は、２群の端子取り付け部９３Ａ全体をそれぞれ覆うように貼り付ければよいのでマスキング部材６０１の形状を簡略化でき、配線パターンに対応させるための手間等が不要となり、マスキング作業が容易となる。また、画像出力信号用コネクタ５３２を取り付ける際にマスキング部材６０１を取り外す作業も容易に行うことができる。
【００７７】
(14)  マスキング部材６０１は、透明または半透明の部材で形成されているので、マスキング部材６０１を通してパターンを視認できるので、検定機関などによる検定試験や市場での立会い検査における外観検査が目視にて容易に行うことができる。
【００７８】
(15)  さらに、マスキング部材６０１は、絶縁部材で形成されているので、データ出力基板９３上に露出した端子取り付け部９３Ａの配線パターンを絶縁部材で覆うことができ、端子取り付け部９３Ａへの静電気の飛び込みを防止できて、静電気による遊技動作装置等の誤動作や、基板上の回路素子の静電破壊を防止することができる。
【００７９】
（７）実施形態の変形
尚、本発明は、前述の各実施形態に限定されるものではなく、以下に示すような変形をも含むものである。
【００８０】
前記各実施形態では、画像表示制御基板５０、９２は、液晶パネルユニットの裏面側で該液晶パネルユニットの表示面に沿って配置されていたがこれに限られない。すなわち、図１１に示される可変表示装置９１のように、画像表示制御基板を液晶パネルユニットの表示面に対して略直交に配置し、データ出力基板を画像表示制御基板と略平行に配置してもよい。要するに、液晶パネルユニットに対する画像表示制御基板およびデータ出力基板の配置は、遊技盤裏面のスペースに応じて適宜に設定すればよい。
【００８１】
また、前記各実施形態では、可変表示装置１１、９１は、液晶パネルユニット３０を備え、この液晶パネルユニットの表示面上に所定の図柄を表示するように構成されていたが、これに限られない。すなわち、可変表示装置を、表面に複数の図柄が形成された複数のドラムから構成し、主制御装置からの制御信号に基づいて、これらのドラムを回転させることにより、所定の図柄の組み合わせを表示できるように構成してもよく、 ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、７セグメントＬＥＤ、ドットマトリクスＬＥＤ等により可変表示装置を構成してもよい。
また、前記各実施形態では、液晶パネルユニット３０の背面光源として、所謂直下型のバックライトを用いたが、これに限られない。すなわち、背面光源として、所謂エッジ型のバックライトを用いることもできる。この場合、液晶パネルの裏面側でかつ液晶パネルの側方に配置された蛍光管から出射された光束は、液晶パネルの裏面側に配置された導光板などによって導光、拡散され、液晶パネルユニットの背面に照射される。
【００８２】
さらに、前記各実施形態では、検査データを出力する遊技動作装置は、可変表示装置１１、９１であったがこれに限られない。すなわち、効果音を出力するスピーカ等を制御する音声制御装置、電飾装置を制御するランプ制御装置等、パチンコ遊技機に組み込まれるいかなる制御装置についても、本発明を利用してもよい。
【００８３】
そして、前記各実施形態では、パチンコ遊技機の検査を行うためにデータ出力装置５３、９３を利用していたが、これに限らず、スロットマシーン等の検査を必要とする遊技機に本発明を利用してもよい。
【００８４】
また、前記各実施形態では、信号出力端子は、スルーホールに取り付けるコネクタであったが、これに限らず、表面実装タイプのコネクタや、接触式の接続端子等を利用してもよい。
【００８５】
また、前記第２実施形態では、データ出力基板９３は画像表示制御基板９２に別体として平行に設けられているが、これに限らず、データ出力基板を画像表示制御基板に対して直交するように立てて、かつ、着脱可能に設けてもよい。
【００８６】
また、前記第２実施形態では、マスキング部材６０１は、透明または半透明のゴムや樹脂あるいはテープやフィルムで形成された２枚でなり、２列の端子取り付け部９３Ａ全体をそれぞれ覆うように形成されているが、２列の端子取り付け部９３Ａ全体を覆えるような大きさの１枚で形成してもよい。このようにすれば、マスキング部材６０１の製作、貼り付け作業の手間が少なくなる。
【００８７】
その他、本発明を実施する際の具体的な構造および形状等は、本発明の目的を達成できる範囲で他の構造等としてもよい。
【図面の簡単な説明】
【００８８】
【図１】本発明の第１実施形態に係る遊技機の遊技盤の構造を表す立面図である。
【図２】前記実施形態における遊技盤の裏面の構造を表す立面図である。
【図３】前記実施形態における可変表示装置の構造を表す分解斜視図である。
【図４】前記実施形態における画像表示制御基板の構造を説明するための斜視図である。
【図５】前記実施形態における画像表示制御基板の構造を表す模式図である。
【図６】前記実施形態におけるデータ出力基板の構造を表す模式図である。
【図７】前記実施形態における端子取り付け部とマスキングとを表す部分詳細図である。
【図８】前記実施形態における端子取り付け部にダミー素子を取り付けた状態を表す斜視図である。
【図９】図８のＡ―Ａ線に沿った断面を表す図である。
【図１０】前記実施形態における機能検査装置の構造を表す模式図である。
【図１１】本発明の第２実施形態に係る画像表示制御基板の構造を説明するための斜視図である。
【図１２】図１１におけるデータ出力基板を裏側から見た状態を表す図である。
【符号の説明】
【００８９】
１１、９１  可変表示装置
３０  画像表示部（液晶パネルユニット）
４１  蛍光管
５０Ａ  端子取り付け部
９３Ａ  端子取り付け部
５２、９２  画像表示制御部
５３、９３  データ出力装置
４３１  蛍光管の端子部分
５００  スルーホール
５０１  マスキング部材
５３１  画像出力信号取得回路
５３２  画像出力信号用コネクタ（信号出力端子）
５２２  中央演算処理装置（補助ＣＰＵ）
５２３  表示制御集積回路
【図１】
2004237113.tif 000003
【図２】
2004237113.tif 000004
【図３】
2004237113.tif 000005
【図４】
2004237113.tif 000006
【図５】
2004237113.tif 000007
【図６】
2004237113.tif 000008
【図７】
2004237113.tif 000009
【図８】
2004237113.tif 000010
【図９】
2004237113.tif 000011
【図１０】
2004237113.tif 000012
【図１１】
2004237113.tif 000013
【図１２】
2004237113.tif 000014